(57)【要約】 【課題】コンクリートブロック等の被調整物のレベル調整を容易且つ正確に行うことのできるレベル調整具を提供する。【解決手段】傾斜スライド面２９を具えた楔状押込み部材２と、傾斜スライド面２９に載置されるスライド支持部材４とを具える。スライド支持部材４の上面は段差部４５を有し、段差部４５の選択された水平設置面４６で、側溝ブロック等としての被調整物３の下面８９を支持する。水平設置面４６の後端側に設けられた立壁４７の前面４９が、下方に傾斜する傾斜面に形成されており、該前面の下縁８８が、被調整物の側面の下端に当接できる。楔状押込み部材２を押し込むに伴って、スライド支持部材４を上昇させることができる。【選択図】図２
2006348599.tif 000002
【特許請求の範囲】
【請求項１】
下面が水平で且つ、上面が、後端から前端に向けて下方に傾斜する傾斜スライド面に形成された楔状押込み部材と、該傾斜スライド面に載置されるスライド支持部材とを具え、該スライド支持部材の下面は、前記傾斜スライド面に当接する傾斜載置面とされる一方、該スライド支持部材の上面には、被調整物の下面を支持する一つの水平設置面が設けられ、該水平設置面の後端側に、該被調整物の側面に当接できる立壁が設けられており、且つ、前記楔状押込み部材を前方に押し込むに伴って前記スライド支持部材を上昇させ得ることを特徴とするレベル調整具。
【請求項２】
下面が水平で且つ、上面が、後端から前端に向けて下方に傾斜する傾斜スライド面に形成された楔状押込み部材と、該傾斜スライド面に載置されるスライド支持部材とを具え、該スライド支持部材の下面は、前記傾斜スライド面に当接する傾斜載置面とされる一方、該スライド支持部材の上面は、前端から後端に向けて高くなる段差部を有し、該段差部の選択された水平設置面で被調整物の下面を支持できると共に、各水平設置面の後端側に、該被調整物の側面に当接できる立壁が設けられており、且つ、前記楔状押込み部材を前方に押し込むに伴って前記スライド支持部材を上昇させ得ることを特徴とするレベル調整具。
【請求項３】
前記立壁の前面が、前方に向けて下方に傾斜する傾斜面に形成され、該傾斜する前面の下縁が前記被調整物の側面の下端に当接し得ることを特徴とする請求項１記載のレベル調整具。
【請求項４】
前記各立壁の前面が、前方に向けて下方に傾斜する傾斜面に形成され、該傾斜する前面の下縁が前記被調整物の側面の下端に当接し得ることを特徴とする請求項２記載のレベル調整具。
【請求項５】
前記傾斜面の水平面に対する下向きの傾斜角度を６０〜７０度に設定したことを特徴とする請求項３又は４記載のレベル調整具。
【請求項６】
前記スライド支持部材の左右側に、前記楔状押込み部材を左右から挟む挾持部を設けたことを特徴とする請求項１又は２記載のレベル調整具。
【請求項７】
前記楔状押込み部材の左右側に、前記スライド支持部材を左右から挟む挾持部を設けたことを特徴とする請求項１又は２記載のレベル調整具。
【請求項８】
前記楔状押込み部材の前記傾斜スライド面に、前後に長いガイド溝を設けると共に、前記スライド支持部材に、該ガイド溝に挿入されて該ガイド溝に沿って相対的に前後動できる係合片を設け、該相対的な前後動は、該係合片に設けられた第１の係合部と該ガイド溝に設けられた第２の係合部との係合によって、該係合片が該ガイド溝と分離しない状態で行われることを特徴とする請求項１又は２記載のレベル調整具。
【請求項９】
前記スライド支持部材の前記傾斜載置面に、前後に長いガイド溝を設けると共に、前記楔状押込み部材に、該ガイド溝に挿入されて該ガイド溝に沿って相対的に前後動できる係合片を設け、該相対的な前後動は、該係合片に設けられた第１の係合部と該ガイド溝に設けられた第２の係合部との係合によって、該係合片が該ガイド溝と分離しない状態で行われることを特徴とする請求項１又は２記載のレベル調整具。
【請求項１０】
前記楔状押込み部材の前記傾斜スライド面に、該楔状押込み部材の移動量を示す目盛りを設けたことを特徴とする請求項７又は８記載のレベル調整具。
【請求項１１】
前記楔状押込み部材の後端部分に、前記スライド支持部材の後端との当接部の後側に位置させて、前方に押し込まれた該楔状押込み部材を工具で後方に所要に戻す際に用いられる工具係合部を設けたことを特徴とする請求項１〜９の何れかに記載のレベル調整具。
【発明の詳細な説明】
【技術分野】
【０００１】
本発明は、側溝ブロックやＬ型擁壁ブロック等の被調整物を設置するに際して、そのレベル調整を簡易且つ正確に行うことのできるレベル調整具に関するものである。
【背景技術】
【０００２】
例えば図２２〜２３に示すような門形のコンクリート側溝ブロック（以下門形側溝ブロックという）ａを用いて側溝を構築するに際しては、施工現場に形成した捨てコンクリート面（凹凸のある面）ｂ上に該門形側溝ブロックａをそのレベルを調整しながら順次敷設すると共に、該門形側溝ブロックａの下面（後述の側壁ｈの下面）ｃと前記捨てコンクリート面ｂとの間に形成された間隙ｄにモルタルやコンクリート等を充填し、且つ、その内部の底部分ｅに底打ちコンクリートｆを打設し該打設コンクリートを均して側溝底部ｇを形成していた。
【０００３】
この種の門形側溝ブロックａは、図２２に示すように、左右対向する側壁ｈ，ｈの上部の前後端部分が連結梁ｊ，ｊで一体に連結され、両側壁ｈ，ｈ間の下部ｋが開放されている。そして、前記レベル調整に際しては、該門形側溝ブロックａをクレーンで吊り下ろす際に、図２３に示すように、前記左右の側壁ｈ，ｈの下面ｃ，ｃと前記捨てコンクリート面ｂとの間に、厚さの異なる複数枚のレベル調整片ｍを介在させたり、所要厚さの木切れを介在させていた。
【０００４】
しかしながら、このようにしてレベル調整を行うときは、門形側溝ブロックの所要のレベルを１回で正確に決めることが難しく、積重調整片上や木切れ上にブロックを一旦設置してレベル確認を行って後、レベルが高過ぎたり低過ぎたりした場合は、該ブロックを吊り上げると共にレベル調整片の組み合わせを変えて、再びブロックを積重調整片の上に設置することを要した。或いは、使用する木切れをより厚いものに変更したり、木切れを削ってその厚さをより薄くした後に該木切れ上に再びブロックを設置することを要したのであり、レベル調整の作業能率が極めて悪い問題があった。又、かかる従来の調整手段は、厚さの異なる複数枚のレベル調整片を組み合わせたり、木切れの厚さを所要に決めるものであったため、門形側溝ブロックのレベル調整に多くの手間を掛けながらも正確なレベル調整が難しい問題があった。
【０００５】
レベル調整手段の他の態様としては、特開平７−２７９１８２号公報が開示するような、楔の打ち込みによってコンクートブロック等のレベル調整を行う手段も提案されている。該レベル調整手段は、ブロック下面と捨てコンクリート面との間隙に楔を打ち込んでレベル調整を行うものであったが、該楔は、その下面が水平で且つ上面が傾斜面に形成されていたことから、該傾斜面上にブロックの下面の角部が当接した状態で該楔の打ち込みが行われることになる。そのため、楔の打ち込みの際に、ブロックの重量で該角部が該傾斜面に食い込んだ状態になりやすく、楔の打ち込みを円滑に行うことができない問題があった。又、該傾斜面の勾配に応じた正確なレベル調整を行い難い問題があった。更に、該楔の打ち込みに際してブロックの下面の角部が損傷されやすい問題もあった。
【０００６】
かかる問題点を解決し得るレベル調整手段としては、特開２００３−２５３７４３号公報が開示するブロック体の高さ調整装置が提案されている。該調整装置は、螺旋の巻き方向が逆に形成された上下方向の雄ねじ部に螺合するナットを具える調整手段をコンクリートブロックに有しており、該高さ調整手段の正逆回転操作によって、設置面に対するコンクリートブロックのレベル調整を行わんとするものであった。しかしながら、かかるレベル調整装置によるときは、特別な構成の調整手段を、コンクリートブロックの製造時に個々のブロックに組み付けなければならなかったために、ブロックの製造コストの上昇を招く問題があった。
【０００７】
【特許文献１】特開平７−２７９１８２号公報（４−５頁、図４）
【特許文献２】特開２００３−２５３７４３号公報（７−８頁、図１−４）
【発明の開示】
【発明が解決しようとする課題】
【０００８】
本発明は、前記問題点に鑑みて開発されたものであり、側溝ブロックやＬ型擁壁ブロック等のコンクリートブロック、その他の被調整物を、その下面で安定的に支持して該被調整物のレベル調整を容易且つ正確に行うことのできるレベル調整具の提供を課題とするものである。
【課題を解決するための手段】
【０００９】
前記課題を解決するため、本発明は以下の手段を採用する。
即ち本発明に係るレベル調整具の第１の態様は、下面が水平で且つ、上面が、後端から前端に向けて下方に傾斜する傾斜スライド面に形成された楔状押込み部材と、該傾斜スライド面に載置されるスライド支持部材とを具え、該スライド支持部材の下面は、前記傾斜スライド面に当接する傾斜載置面とされる一方、該スライド支持部材の上面には、被調整物の下面を支持する一つの水平設置面が設けられ、該水平設置面の後端側に、該被調整物の側面に当接できる立壁が設けられており、且つ、前記楔状押込み部材を前方に押し込むに伴って前記スライド支持部材を上昇させ得ることを特徴とするものである。
【００１０】
該レベル調整具において、前記立壁の前面を、前方に向けて下方に傾斜する傾斜面に形成し、該傾斜する前面の下縁が前記被調整物の側面の下端に当接し得るように構成するのがよい。この場合、該傾斜面の水平面に対する下向きの傾斜角度は、６０〜７０度に設定するのがよい。
【００１１】
本発明に係るレベル調整具の第２の態様は、下面が水平で且つ、上面が、後端から前端に向けて下方に傾斜する傾斜スライド面に形成された楔状押込み部材と、該傾斜スライド面に載置されるスライド支持部材とを具え、該スライド支持部材の下面は、前記傾斜スライド面に当接する傾斜載置面とされる一方、該スライド支持部材の上面は、前端から後端に向けて高くなる段差部を有し、該段差部の選択された水平設置面で被調整物の下面を支持できると共に、各水平設置面の後端側に、該被調整物の側面に当接できる立壁が設けられており、且つ、前記楔状押込み部材を前方に押し込むに伴って前記スライド支持部材を上昇させ得ることを特徴とするものである。
【００１２】
該レベル調整具において、前記各立壁の前面を、前方に向けて下方に傾斜する傾斜面に形成し、該傾斜する前面の下縁が前記被調整物の側面の下端に当接し得るように構成するのがよい。この場合、該傾斜面の水平面に対する下向きの傾斜角度は、６０〜７０度に設定するのがよい。
【００１３】
前記第１、第２のレベル調整具において、前記スライド支持部材の左右側に、前記楔状押込み部材を左右から挟む挾持部を設けるのがよい。或いは、前記楔状押込み部材の左右側に、前記スライド支持部材を左右から挟む挾持部を設けるのがよい。
【００１４】
又前記第１、第２のレベル調整具において、前記楔状押込み部材の前記傾斜スライド面に、前後に長いガイド溝を設けると共に、前記スライド支持部材に、該ガイド溝に挿入されて該ガイド溝に沿って相対的に前後動できる係合片を設け、該相対的な前後動は、該係合片に設けられた第１の係合部と該ガイド溝に設けられた第２の係合部との係合によって、該係合片が該ガイド溝と分離しない状態で行われるように構成するのがよい。
【００１５】
又前記第１、第２のレベル調整具において、前記スライド支持部材の前記傾斜載置面に、前後に長いガイド溝を設けると共に、前記楔状押込み部材に、該ガイド溝に挿入されて該ガイド溝に沿って相対的に前後動できる係合片を設け、該相対的な前後動は、該係合片に設けられた第１の係合部と該ガイド溝に設けられた第２の係合部との係合によって、該係合片が該ガイド溝と分離しない状態で行われるように構成するのがよい。
【００１６】
前記傾斜スライド面に、前後に長いガイド溝を設ける場合、或いは、前記傾斜載置面に、前後に長いガイド溝を設ける場合、前記傾斜スライド面に、前記楔状押込み部材の移動量を示す目盛りを設けるのがよい。
【００１７】
前記各レベル調整具において、前記楔状押込み部材の後端部分に、前記スライド支持部材の後端との当接部の後側に位置させて、前方に押し込まれた該楔状押込み部材を工具で後方に所要に戻す際に用いられる工具係合部を設けるのがよい。
【発明の効果】
【００１８】
本発明は以下の如き優れた効果を奏する。
(1) 本発明に係るレベル調整具は、下面が水平で且つ、上面が後端から前端に向けて下方に傾斜する傾斜スライド面が設けられた楔状押込み部材と、該傾斜スライド面に当接する傾斜載置面を有するスライド支持部材とを具え、該スライド支持部材の上面は、被調整物の下面を支持する水平設置面を有し、該水平設置面の後端側に、該被調整物の側面に当接できる立壁が設けられており、前記楔状押込み部材を前方に押し込むに伴って前記スライド支持部材を上昇させ得るように構成されている。
【００１９】
従って本発明によるときは、被調整物を水平設置面で安定的に支持でき、しかも、楔状押込み部材の傾斜スライド面に、スライド支持部材の傾斜面（傾斜載置面）が当接するため、この状態で前記楔状押込み部材を前方に押し込むに伴って、被調整物を円滑に上昇させることができる。これにより、楔を打ち込んで被調節物のレベル調整を行う前記従来のレベル調整手段とは異なり、該水平設置面で被調整物を安定的に支持した状態で、レベル調整具の損傷を招くことなく確実に被調整物を上昇させることができる。この場合、被調整物の側面の下端が前記立壁の前面の下縁に当接した状態とすることにより、前記楔状押込み部材の押込みの際、前記スライド支持部材を被調整物の側面で停止させた状態で、楔状押込み部材のみを確実に押込むことができ、該楔状押込み部材の押込み量に応じた正確なレベル調整を行い得ることとなる。
【００２０】
かかることから本発明によるときは、楔片の傾斜面に被調整物を載せた状態で該楔片を打ち込んで被調整物のレベル調整を行う従来手段におけるような、被調整物の重量によりその下面の外縁が傾斜面に食い込んで楔片の押し込みが困難となったり、レベル調整が不確実になったり、更には、被調整物の損傷を招く等の問題を生じさせる恐れがない。又、特殊な調整装置を具えた前記従来のコンクリートブロックでなくても簡易に然も正確にレベル調整できる利点がある。
【００２１】
(2) 前記立壁の前面を、前方に向けて下方に傾斜する傾斜面に形成する場合は、被調整物をレベル調整具の前記水平設置面に載置する際、該被調整物の側面の下端（外縁や内縁等）を該傾斜面上に位置させて該被調整物を吊り下ろすことにより、該傾斜面の案内作用によって前記スライド支持部材を後方に移動させることができる。従って、被調整物が水平設置面に載置されると同時に、該被調整物の側面の下端が前記水平設置面の後縁（即ち該傾斜した前面の下縁）に自ずから正確に合致できることとなる。
【００２２】
(3) 前記スライド支持部材の左右側に、前記楔状押込み部材を左右から挟む挾持部を設けることにより、或いは、前記楔状押込み部材の左右側に、前記スライド支持部材を左右から挟む挟持部を設けることにより、前記楔状押込み部材の押込みの際に前記スライド支持部材が左右に横振れするのを確実に防止でき、従って、該楔状押込み部材を安定状態で押し込むことができる。
【００２３】
(4) 前記楔状押込み部材の前記傾斜スライド面に、前後に長いガイド溝を設けると共に、前記スライド支持部材に、該ガイド溝に挿入されて該ガイド溝に沿って相対的に前後動し得る係合片を設け、且つ、該相対的な移動は、該係合片に設けられた第１の係合部と該ガイド溝に設けられた第２の係合部との係合によって該係合片が該ガイド溝と分離しない状態で行われるように構成した場合は、楔状押込み部材とスライド支持部材とが一体化状態にあるため、レベル調整具の取り扱い性に優れる。このことは、ガイド溝をスライド支持部材に設けると共に係合片を楔状押込み部材に設けた場合も同様である。
【００２４】
(5) 前記楔状押込み部材の前記傾斜スライド面に、該楔状押込み部材の移動量を示す目盛りを設けることにより、楔状押込み部材の押込み量に応じたスライド支持部材の上下移動量を、該目盛りに基づいて正確且つ容易に行うことができる。
【００２５】
(6) 前記楔状押込み部材の後端部分に工具係合部を設けることにより、楔状押込み部材を押込み過ぎたときに該楔状押込み部材を戻す操作を、該工具係合部に工具を係合させて容易に行うことができる。該工具係合部は、スライド支持部材の後端との当接部の後側に位置させて設けられているため、スライド支持部材の後端が楔状押込み部材の当接部に当接した状態においても、該当接部と工具係合部との間に、工具の先端を挿入させる空間部を形成できる。従って、楔状押込み部材の押込み量の如何を問わず、該楔状押込み部材を容易に戻すことができる。
【実施例１】
【００２６】
図１〜２において本発明に係るレベル調整具１は、分離不能に連結された楔状押込み部材２と、該楔状押込み部材２上に重ね合わせられて相対的にスライドでき且つ被調整物３の下面８９を支持し得るスライド支持部材４とから構成されている。該楔状押込み部材２と該スライド支持部材４は、本実施例では、共に合成樹脂、例えばポリプロピレンを用いて一体に形成されている。
【００２７】
該楔状押込み部材２は、本実施例においては図１〜４に示すように、下端が開放した箱状に形成され、下面５が水平に形成されている。そして、その後側の部分６に、前記スライド支持部材４の後端７との当接部９と、該当接部９の後側に位置する工具係合部１０が設けられている。本実施例においては、該楔状押込み部材２の幅寸法（左右幅寸法）が２３ｍｍに、その全長（前後長さ）が１７０ｍｍに設定されている。
【００２８】
前記当接部９は、前記スライド支持部材４の前記後端（垂直面）７と当接し得る垂直当接面１１を有する。又前記工具係合部１０は、前後長さが３０ｍｍに設定されており、該垂直当接面１１の上端で後方に屈曲する下端水平面１２と、該下端水平面１２の後端で立ち上がる係合垂直面１３と、該係合垂直面１３の上端で後方に延長する上端水平面１５と、該上端水平面１５の後端で後方に向け斜め下方に傾斜する（例えば６３度の傾斜角度で傾斜する）押圧傾斜面１６とを具えている。本実施例においては、前記垂直当接面１１の上下長さが１１ｍｍに設定され、前記係合垂直面１３の上下長さが１０ｍｍに設定されている。そして、前記垂直当接面１１と前記係合垂直面１３との間の間隔（前記下端水平面１２の前後長さ）は、図１８に基づいて後述するように、バール等の工具１７の先端部１９を挿入させて該先端部１９を該係合垂直面１３に係合させることができるように、本実施例では９ｍｍに設定されている。又、前記上端水平面１５の前後長さは１５ｍｍに設定されている。
【００２９】
そして、前記垂直当接面１１よりも前側の部分２１の、左右の側端部分２３，２３を除く中央部分２５の上面は、図３に示すように、後端２６から前端２７に向けて下方に傾斜する傾斜スライド面２９とされている。本実施例においては、該傾斜スライド面２９の傾斜角度は６度に設定されている。又、該傾斜スライド面２９の左右幅は１５ｍｍに設定されると共に、前後長さは１３０ｍｍに設定されている。
【００３０】
又、前記左右の側端部分２３，２３は、図３、図６に示すように、該傾斜スライド面２９よりも一段低く（例えば３ｍｍ低く）形成された欠切ガイド部３０，３０とされている。該欠切ガイド部３０，３０は、前記傾斜スライド面２９と平行するガイド底面３１と、該ガイド底面３１の内端で垂直に立ち上がるガイド側面３２とから形成され、該ガイド底面３１，３１の前端３３，３３は、前記傾斜スライド面２９の前端２７よりも稍後方に位置している。又、図２〜３に示すように、前記傾斜スライド面２９の略上半分の長手中央線に沿ってガイド溝３６が設けられると共に、前記垂直当接面１１には、該ガイド溝３６の上端に連通する如く且つ前記当接部９の内部に入り込む状態で逃がし溝３７が設けられている。該ガイド溝３６の溝幅は３ｍｍに、その前後長さは５３ｍｍに設定されている。  
【００３１】
又、前記傾斜スライド面２９には、図３に示すように、前記ガイド溝３６の両側に位置させて、該ガイド溝３６の前端側の部位を基点３９とする目盛り（本実施例においては目盛り線４１）４０が後端に向けて等間隔で設けられている。そして、奇数番目の目盛り線４１は稍長く形成され、該ガイド溝３６の一側で、長い目盛り線４１，４１間に、１ｍｍ、２ｍｍ、３ｍｍ、４ｍｍの寸法を表示する数字が付されている。この目盛り線を利用すると、前記楔状押込み部材２の押し込み操作によって前記スライド支持部材４を正確に上昇させることができる。例えば図５（Ａ）に示すように、前記スライド支持部材４の前記後端７の下縁４２が例えば２ｍｍの目盛り線４１ａに合致した状態で、該楔状押込み部材２を、該下縁４２が３ｍｍの目盛り線４１ｂに合致するまで押し込む（楔状押込み部材２を１０ｍｍ程度前進させる）ことにより、該スライド支持部材４を１ｍｍ上昇させることができる。本実施例においては、前記楔状押込み部材２の押し込み操作によって、最大で５ｍｍ上昇させることができる。
【００３２】
前記スライド支持部材４は、図１〜４に示すように、前後に長く且つその長さが前記傾斜スライド面２９の長さの６割５分程度（８４ｍｍ）に設定された下端開放の箱状に形成されており、その上面は、前端から後端に向けて高くなる段差部４５を有している。本実施例においては、その段数は４段に設定されており、各水平設置面４６，４６，４６，４６の前後長さは１８ｍｍに設定され、前後隣り合う水平設置面４６，４６間の段差は５ｍｍに設定されている。そして、上下隣り合う水平設置面４６，４６を繋ぐ立壁（水平設置面４６の後端側に設けられた立壁）４７の前面４９は、前方に向けて下方に傾斜する傾斜面として形成されている。又、最上段の水平設置面４６ａの後端側には、５ｍｍ高さの立壁５１が設けられると共に、該立壁５１の前面５２は、前記立壁４７の前面４９と平行する傾斜面に形成されている。該傾斜する前面４９，５２の、水平面に対する下向きの傾斜角度は、例えば６０〜７０度に設定されており、本実施例においては６８度に設定されている。
【００３３】
そして、かかる構成のスライド支持部材４の左右の側面部５５，５５の下端部分は、図４、図６に示すように、前記左右の欠切ガイド部３０，３０に嵌まり合う挾持部５７，５７とされており、該挾持部５７の下面５９は前記ガイド底面３１に当接し、且つ、該挾持部５７の内側面６０は前記ガイド側面３２に当接する如くなされている。又、該スライド支持部材４の後面部６１の外面６２（前記後端７）は、前記垂直当接面１１に当接し得る垂直面に形成されている。
【００３４】
又、図２、図４に示すように、かかる構成のスライド支持部材４の左右の側面部５５，５５間において、前記した各水平設置面４６，４６，４６，４６の下面側の前後に位置する状態で脚部６３，６３，６３，６３が設けられている。なお、最後端に位置する脚部６３ａは、前記後面部６１を以って構成されている。そして、各脚部の下面６５，６５，６５，６５は、前記傾斜スライド面２９に当接し得る（前記ガイド溝３６が存する部分では、その両側部分に当接し得る）傾斜載置面６７を構成する。なお、前後隣り合う脚部６３，６３相互は、必要に応じて補強リブで連結される。
【００３５】
又、最後端に位置する前記脚部６３ａの下面６５ａの中央部には、前記ガイド溝３６に挿入（本実施例では押入）されて該ガイド溝３６に沿って相対的に前後動し得る係合片６９が設けられている。該係合片６９は図６に示すように、前記ガイド溝３６の溝幅よりも若干小さい（例えば０．３ｍｍ程度小さい）板状部７０の下端に、第１の係合部７１が設けられている。該第１の係合部７１は、左右外方に向けて張り出す係合面７２，７２を有し、該係合面７２，７２の先端で、内方に向けて下方に傾く傾斜案内面７３，７３が連設され、該傾斜案内面７３，７３の下端７５，７５間の間隔は、前記板状部７０の肉厚よりも稍小さく設定されている。かかる構成の第１の係合部７１は、その下端部分７７を図７（Ａ）に示すように前記ガイド溝３６の上端部分７９に嵌め入れた状態で、同図に矢印で示すように該第１の係合部７１を下方向に押圧する。これにより、該ガイド溝３６の溝幅が弾性的に拡開して該ガイド溝３６の対向側縁８０，８０が前記傾斜案内面７３，７３に相対的に案内され、最終的に、前記左右の係合面７２，７２が、図７（Ｂ）に示すように、前記ガイド溝３６の左右の下面縁部８１，８１としての第２の係合部８２に係合できる状態となり、前記係合片６９が前記ガイド溝３６と分離しない状態となる。これにより、スライド支持部材４と楔状押込み部材２との分離が阻止される。
【００３６】
然して、前記第１の係合部７１と前記第２の係合部８２との係合によって前記スライド支持部材４が前記楔状押込み部材２と分離しない状態で、該係合片６９が、前記ガイド溝３６に沿って該ガイド溝３６の前後長さの範囲で、前後動できる。図８（Ａ）は、係合片６９がガイド溝３６の前端にある状態を示し、図８（Ｂ）は、係合片６９がガイド溝３６の中間にある状態を示し、又図８（Ｃ）は、係合片６９が、ガイド溝３６の最後端にある状態を示している。この前後動は、図８（Ａ）（Ｂ）（Ｃ）に示すように、前記スライド支持部材４の前記傾斜載置面６７が前記楔状押込み部材２の前記傾斜スライド面２９に当接し、且つ、図６に示すように、前記左右の挾持部５７，５７の内側面６０，６０が前記ガイド側面３２，３２に当接する共に該左右の挾持部５７，５７の下面５９，５９が前記ガイド底面３１，３１に当接した状態で行われる。従って前記スライド支持部材４の前後動は、前記左右の挾持部５７，５７による位置規制作用によって左右に横振れすることなく安定状態で直線的に行われる。又、前記水平設置面４６，４６，４６，４６の何れかが支持する前記被調整物３の重量は、前記傾斜スライド面２９及び前記欠切ガイド部３０，３０のガイド底面３１，３１で支持される。
【００３７】
そして、前記スライド支持部材４が最後端に位置した図８（Ｃ）の状態においては、前記係合片６９が前記逃がし溝３７に入り込み、且つ、該スライド支持部材４の後端（前記後面部６１の外面６２）７が前記垂直当接面１１に当接する。
【００３８】
次に、かかる構成を有するレベル調整具１を用いて、例えば門形側溝ブロック３ａとしての被調整物３のレベル調整を行う作業工程を説明する。
【００３９】
該門形側溝ブロック３ａは、図９に示すように、左右対向する側壁８３，８３の上部の前後端部分を連結梁８５，８５によって一体に連結すると共に、両側壁８３，８３間の下部８６を開放した構成を有している。かかる構成の門形側溝ブロック３ａは、そのレベルを調整しながら捨てコンクリート面８７に設置し、その後、該門形側溝ブロック３ａの下面（後述の側壁８３の下面）８９と前記捨てコンクリート面８７との間に形成された間隙６８にモルタルやコンクリート等を充填し、且つ、その内部の底部分に底打ちコンクリート７４を打設し該打設コンクリートを均すことにより、図１０に示すように側溝底部７８が形成される。
【００４０】
かかる構成の門形側溝ブロック３ａを捨てコンクリート面８７に設置するに際しては、図１０に示すように、該門形側溝ブロック３ａの下面８９と捨てコンクリート面８７との間に１０〜１５ｍｍ程度の間隙が形成されるように正確にレベル調整するのであるが、それに先立って、左右の側壁８３，８３の下面８９と捨てコンクリート面８７との間に前記レベル調整具１を介在させる。このレベル調整具１の介在は、前記門形側溝ブロック３ａを宙吊りにして行なう。その際、側壁の下面８９の外縁（被調整物３の側面の下端）９０が、所定高さの水平設置面４６の後縁（前記立壁４７の前面４９の下縁）９１に当接した状態となるように前記レベル調整具１を位置決めし、図１１に示すように、該門形側溝ブロック３ａを前記レベル調整具１上に吊り下ろす。その際、前記スライド支持部材４を前記ガイド溝３６の長さの範囲で、できるだけ下方に位置するスライド状態とする。これは、前記楔状押込み部材２の押し込み量を極力大きくするため、即ち、前記スライド支持部材４の上昇量を極力大きくするためである。
【００４１】
このようにして門形側溝ブロック３ａを吊り下ろすのであるが、側壁８３の下面８９の外縁９０を前記水平設置面４６の後縁９１に正しく合致させるのは、実際は難しい。そこで通常は図１２に示すように、該外縁９０が、前記立壁４７の傾斜する前面４９の直上に位置するように、前記レベル調整具１の設置位置を決めるのがよい。このようにすれば、門形側溝ブロック３ａの吊り下ろしにより、図１３に示すように、前記外縁９０が該傾斜する前面４９上に乗る。その後、該門形側溝ブロック３ａを更に吊り下ろすと、前記立壁４７の前面４９が傾斜面に形成されていることから、前記スライド支持部材４が図１３（Ｂ）に矢印で示す後方向に移動し、前記外縁９０が、最終的には図１１に示すように該水平設置面４６の後縁９１、即ち、前記立壁４７の前面４９の下縁８８に合致した状態となることができる。
【００４２】
本実施例においては、該前面４９の水平面に対する下向きの傾斜角度を６０〜７０度に設定するため、該傾斜する前面４９の平面視の前後長さを所要に確保できて、前記外縁９０を該傾斜する前面４９の直上に位置させやすい。加えて、前記門形側溝ブロック３ａを吊り下ろした際における後方向への所要の移動分力によって、前記スライド支持部材を後方向に無理なく移動させることができる。
【００４３】
なお、前記捨てコンクリート面８７は平滑な面ではなく凹凸のある面であるために、４個のレベル調整具１，１，１，１の全てについて、水平設置面４６が側壁８３の下面８９に当接状態になるとは限らず、図１４（Ａ）に示すように、側壁８３の下面８９が水平設置面４６から若干浮き上がった状態となる場合も生ずる。そのときは図１４（Ｂ）に示すように、該レベル調整具１の楔状押込み部材２を前方に若干移動させることによって、水平設置面４６を側壁８３の下面８９に当接状態にする。これにより該門形側溝ブロック３ａは、図１５に示すように、４個のレベル調整具１，１，１，１の水平設置面４６，４６，４６，４６で安定的に支持された状態となる。
【００４４】
ところで、捨てコンクリート面８７は、平滑な面ではなく前記のように凹凸のある面であるために、このように介在された４個のレベル調整具１，１，１，１による側壁８３，８３の支持状態は各部異なる。図１０においては、左右のレベル調整具１，１による左右の側壁８３，８３の下面８９，８９の支持状態が左右非対称に記載されている。このようにして、４個のレベル調整具１，１，１，１上に門形側溝ブロック３ａを吊り下ろして仮置きした後、該門形側溝ブロック３ａの正確なレベル調整を行うのであるが、そのために、前記楔状押込み部材２を前方に所定量押し込む。この押し込みは、該楔状押込み部材２の前記押圧傾斜面１６をハンマで叩いて行うことができる。この押込みの際、前記のように、側壁８３の下面８９の外縁９０が水平設置面４６の後縁９１（前記立壁４７の前面４９の下縁８８）に当接した係合状態にあるため（図１１）、図１６に矢印で示すように、該スライド支持部材４の前方への移動が阻止された状態で楔状押込み部材２のみを前進させることができる。なお該楔状押込み部材２の前進は、前記左右の挾持部５７，５７の前記振れ止め作用によって、横振れを生じさせることなく確実に行うことができる。かかることから、該楔状押込み部材２の前進量に比例して側壁８３を上昇させることができる。そして、該側壁８３の必要な上昇量は、前記目盛り線４１を見ながら正確に行うことができる。このようにして門形側溝ブロック３ａのレベルを正確に且つ容易に調整できるのである。
【００４５】
前記調整に際して、楔状押込み部材２を押込み過ぎて前記側壁８３が上昇し過ぎたときは、該楔状押込み部材２を後方に戻す必要がある。その場合は例えば図１７（Ａ）に示すように、バール１７ａ等の工具１７を用い、該バール１７ａの屈曲支点部９３を前記側壁８３の外面９５に当てた状態でバールの短辺部分９６の先端部１９を、前記スライド支持部材４の後端７と前記工具係合部１０との間に挿入させ、且つ該先端部１９を該工具係合部１０の係合垂直面１３に当てる。そしてこの状態で、バール１７ａの長辺部分９９を側壁８３側に向けて、円弧状矢印で示すように回動させると、前記楔状押込み部材２を直線状矢印で示すように戻すことができる。図１７（Ｂ）は、前記楔状押込み部材２を戻した状態を示す。なお図１８（Ａ）に示すように、楔状押込み部材２を押し込んだ状態で、前記スライド支持部材４の前記後端７が前記垂直当接面１１に当接した状態となることもあるが、この場合にあっても、該後端７と前記工具係合部１０の係合垂直面１３との間に、前記バール１７ａの短辺部分９６の先端部１９を挿入させる空間部１００が形成されるため、前記と同様にして、該短辺部分９６の前記先端部１９を係合垂直面１３に当接させてバール１７ａを回動操作することにより、該楔状押込み部材２を図１８（Ｂ）に示すように戻すことができる。
【００４６】
このように楔状押込み部材２を戻して後、改めて該楔状押込み部材２を所要量前進させることにより、前記側壁８３のレベルを微調整できる。
【実施例２】
【００４７】
本発明は、前記実施例で示したものに限定されるものでは決してなく、「特許請求の範囲」の記載内で種々の設計変更が可能であることはいうまでもない。その一例を挙げれば次のようである。
【００４８】
(1) 本発明に係るレベル調整具１において、前記スライド支持部材４の上面に設ける段差部の段数は複数段に設定されるものであり、好ましくは３段以上に設定される。前記実施例で示したように４段に設定するときは、必要な段差を確保しつつレベル調整具の全長を極力短く設定できる利点がある。
【００４９】
(2) 前記実施例においては、第１の係合部７１と第２の係合部８２との係合によって楔状押込み部材２とスライド支持部材４とが分離しないように構成しているが、該係合の構成は、前記実施例で示したものの他、係合片がガイド溝に沿ってスライドできながら該係合片と該ガイド溝との分離を防止し得る各種の手段を採用できる。例えば図１９に示すように、第１の係合部７１の左右に突設した突部１０１，１０１を、該ガイド溝３６の対向する溝側面にその長さ方向に設けた長溝部１０３，１０３に嵌入させる等の構成も採用できる。
【００５０】
(3）前記実施例においては、ガイド溝３６を楔状押込み部材２に設ける一方、前記係合片６９をスライド支持部材４に設けているが、これとは逆に、ガイド溝３６をスライド支持部材４に設ける一方、係合片６９を楔状押込み部材２に設けることもある。又、本発明に係るレベル調整具１は、前記係合片６９を省略して構成されることもある。
【００５１】
(4) 前記実施例においては、前記楔状押込み部材２の押込みに伴う前記スライド支持部材４の上昇量を示す目盛りを、視認を容易とするために前記傾斜スライド面２９に設けているが、該目盛りは、該楔状押込み部材２の側面に設けてもよい。
【００５２】
(5) 前記実施例においては、前記楔状押込み部材２を左右から挟む挾持部５７，５７を前記スライド支持部材４の左右側に設けているが、図２０に示すように、前記スライド支持部材４を左右から挟む挾持部１０５，１０５を、前記楔状押込み部材２の左右側に設けることもある。なお、かかる挾持部５７，５７、１０５，１０５は省略されることもある。  
【００５３】
(6) 前記実施例においては、前記楔状押込み部材２及び前記スライド支持部材４が、下端開放の箱状に構成されているが、中実のブロック状に構成されてもよい。
又前記実施例においては、傾斜載置面６７を、脚部６３の下面６５を以って構成しているが、図２１に示すように、前後に連続した面として構成することもある。
【００５４】
(7) 前記スライド支持部材４の上面に形成される段差部の前後隣り合う水平設置面４６の段差は、該段差部の段数に応じて所要に設定される。段数が多いほど前記段差は小さく設定され、段数が少ないほど前記段差は大きく設定される。この段差は、２〜１０ｍｍに設定することができるが、前記実施例で示すように５ｍｍ程度に設定するのが好ましい。
【００５５】
(8) 前記水平設置面４６の後端側に設けられる立壁４７（上下隣り合う水平設置面４６，４６を繋ぐ立壁）の前面４９及び前記立壁５１の前面５２は、前記傾斜面としての他、垂直面等に形成されることもある。
【００５６】
(9) 前記スライド支持部材４の上面に設ける前記水平設置面４６は、一つとされることもある。
【００５７】
(10)前記楔状押込み部材２の移動量を示す目盛りは、前記目盛り線としての他、各種に表示できる。
【００５８】
(11)前記楔状押込み部材２や前記スライド支持部材４に関して示した前記各部の寸法は一例であり、対象とする被調整物の種類や大きさに応じて所要に設定され得る。
【００５９】
(12)本発明に係るレベル調整具は、前記した門形側溝ブロックや、Ｕ字溝、Ｌ型擁壁ブロック等のレベル調整を要する各種の被調整物を対象となし得る。
【図面の簡単な説明】
【００６０】
【図１】本発明に係るレベル調整具を示す斜視図である。
【図２】その使用状態を示す断面図である。
【図３】本発明に係るレベル調整具の分解斜視図である。
【図４】本発明に係るレベル調整具の分解斜視図である。
【図５】本発明に係るレベル調整具の作用を説明する斜視図である。
【図６】係合片とガイド溝との係合状態を示す断面図である。
【図７】係合片をガイド溝に押入させる工程と、第１の係合部と第２の係合部との係合状態を示す断面図である。
【図８】スライド支持部材の前後動を説明する断面図である。
【図９】門形側溝ブロックとしての被調整物を示す斜視図である。
【図１０】本発明のレベル調整具により門形側溝ブロックのレベル調整を行なった状態を示す断面図である。
【図１１】門形側溝ブロックのレベル調整に際して、門形側溝ブロックをレベル調整具上に吊り下ろした状態を示す断面図である。
【図１２】門形側溝ブロックをレベル調整具の水平設置面に載置する工程を説明する断面図である。
【図１３】吊り下ろされた門形側溝ブロックの側壁下面の外縁が立壁の傾斜する前面に載った状態を示す断面図である。
【図１４】門形側溝ブロックと捨てコンクリート面との間にレベル調整具を介在させる際、水平設置面と側壁の下面との間に間隙が生じた場合、水平設置面を側壁の下面に当接状態とする工程を説明する断面図である。
【図１５】４個のレベル調整具の水平設置面に門形側溝ブロックの両側壁の下面を載せた状態を示す平面図である。
【図１６】楔状押込み部材を押し込むことによって門形側溝ブロックのレベル調整を行なう工程を説明する断面図である。
【図１７】押し込み過ぎた楔状押込み部材を後方に戻す作業工程の一例を示す断面図である。
【図１８】押し込み過ぎた楔状押込み部材を後方に戻す作業工程の一例を示す断面図である。
【図１９】係合片とガイド溝との分離を防止する他の態様を示す断面図である。
【図２０】スライド支持部材を左右から挟む挾持部を楔状押込み部材の左右側に設けた態様を示す断面図である。
【図２１】傾斜載置面を前後に連続した面として形成した態様を説明する断面図である。
【図２２】門形側溝ブロックを示す斜視図である。
【図２３】門形側溝ブロックをレベル調整する従来の作業工程を説明する断面図である。
【符号の説明】
【００６１】
１  レベル調整具
２  楔状押込み部材
３  被調整物
４  スライド支持部材
７  スライド支持部材の後端
９  当接部
１０  工具係合部
１７  工具
２０  操作孔部
２９  傾斜スライド面
３０  欠切ガイド部
３１  ガイド底面
３２  ガイド側面
３６  ガイド溝
４０  目盛り
４１  目盛り線
４５  段差部
４６  水平設置面
４７  立壁
４９  立壁の前面
５１  立壁
５２  立壁の前面
５７  挾持部
６７  傾斜載置面
６９  係合片
７１  第１の係合部
８２  第２の係合部
８７  捨てコンクリート面
【図１】
2006348599.tif 000003
【図２】
2006348599.tif 000004
【図３】
2006348599.tif 000005
【図４】
2006348599.tif 000006
【図５】
2006348599.tif 000007
【図６】
2006348599.tif 000008
【図７】
2006348599.tif 000009
【図８】
2006348599.tif 000010
【図９】
2006348599.tif 000011
【図１０】
2006348599.tif 000012
【図１１】
2006348599.tif 000013
【図１２】
2006348599.tif 000014
【図１３】
2006348599.tif 000015
【図１４】
2006348599.tif 000016
【図１５】
2006348599.tif 000017
【図１６】
2006348599.tif 000018
【図１７】
2006348599.tif 000019
【図１８】
2006348599.tif 000020
【図１９】
2006348599.tif 000021
【図２０】
2006348599.tif 000022
【図２１】
2006348599.tif 000023
【図２２】
2006348599.tif 000024
【図２３】
2006348599.tif 000025